【手続補正書】
【提出日】平成21年9月4日(2009.9.4)
【手続補正１】
【補正対象書類名】特許請求の範囲
【補正対象項目名】全文
【補正方法】変更
【補正の内容】
【特許請求の範囲】
【請求項１】
少なくとも３つの異なる解像度のいずれかを有しうる映像コンテンツを入力する入力手段と、前記映像コンテンツに係る映像を出力する出力手段とを有する映像出力装置であって、
前記映像コンテンツの解像度の変化を検出する検出手段と、
前記映像コンテンツを、設定されたスケーリング率で拡大処理して前記出力手段に供給するスケーリング手段と、
前記検出手段が前記解像度の変化として解像度の低下を検出した場合、予め用意された複数の補助映像のうち、変化前の解像度に対する変化後の解像度の低下度合いに応じた１つを選択し、前記映像コンテンツに係る映像と共に前記出力手段に出力させる制御手段とを有することを特徴とする映像出力装置。
【請求項２】
前記補助映像がメッセージ映像であり、前記制御手段が、前記解像度の低下度合いが予め定めた度合いより大きい場合、前記解像度の低下度合いが前記予め定めた度合い以下の場合よりも詳細な内容のメッセージを含んだメッセージ映像を選択することを特徴とする請求項１記載の映像出力装置。
【請求項３】
前記制御手段が、前記解像度の低下度合いが予め定めた度合いよりも大きい場合には、前記補助映像として前記スケーリング率の設定を変更するか否かをユーザに問い合わせるＧＵＩ映像を選択し、前記解像度の低下度合いが予め定めた度合い以下である場合には、前記補助映像としてメッセージ映像を選択することを特徴とする請求項１記載の映像出力装置。
【請求項４】
少なくとも３つの異なる解像度のいずれかを有しうる映像コンテンツを入力する入力手段と、前記映像コンテンツに係る映像を出力する出力手段とを有する映像出力装置であって、
前記映像コンテンツの解像度の変化を検出する検出手段と、
前記映像コンテンツを、設定されたスケーリング率で拡大処理して前記出力手段に供給するスケーリング手段と、
前記検出手段が前記解像度の変化として解像度の低下を検出した場合、変化前の解像度に対する変化後の解像度の低下度合いに応じて前記変化後の映像コンテンツに対するスケーリング率を決定し、前記スケーリング手段に設定する設定手段とを有することを特徴とする映像出力装置。
【請求項５】
前記設定手段が、前記変化前の解像度と前記変化後の解像度の比の値が予め定めた値よりも小さい場合、前記変化前に設定されていたスケーリング率と、前記変化後の映像コンテンツに対するスケーリング率との変化が予め定められた値よりも小さくなるように前記変化後の映像コンテンツに対するスケーリング率を決定することを特徴とする請求項４記載の映像出力装置。
【請求項６】
前記設定手段が、（前記変化前の解像度／前記変化後の解像度）の値が予め定めた値以上の場合、前記変化後の映像コンテンツの解像度が低いほど、（前記変化後の映像コンテンツに対するスケーリング率／前記変化前に設定されていたスケーリング率）の値が小さくなるように、前記変化後の映像コンテンツに対するスケーリング率を決定することを特徴とする請求項４又は請求項５記載の映像出力装置。
【請求項７】
前記検出手段が、前記映像コンテンツの切り替わり時点で前記映像コンテンツの解像度の変化を検出することを特徴とする請求項１乃至請求項６のいずれか１項に記載の映像出力装置。
【請求項８】
前記入力手段が放送波を通じて前記映像コンテンツを入力することを特徴とする請求項１乃至請求項６のいずれか１項に記載の映像出力装置。
【請求項９】
前記検出手段が、前記放送波に含まれる、現在放送中の映像コンテンツの情報と次に放送される映像コンテンツの情報とを参照することにより、前記映像コンテンツが次の映像コンテンツに切り替わるよりも前に、前記映像コンテンツの解像度の変化が起こることを検出することを特徴とする請求項８記載の映像出力装置。
【請求項１０】
外部機器からの映像コンテンツを入力するインタフェース手段をさらに有し、
前記検出手段が、前記放送波を通じて入力される映像コンテンツに加え、前記インタフェース手段を通じて入力される映像コンテンツについても解像度の変化を検出することを特徴とする請求項８又は請求項９記載の映像出力装置。
【請求項１１】
少なくとも３つの異なる解像度のいずれかを有しうる映像コンテンツを入力する入力手段と、前記映像コンテンツに係る映像を出力する出力手段とを有する映像出力装置の制御方法であって、
前記映像コンテンツの解像度の変化を検出する検出工程と、
前記映像コンテンツを、設定されたスケーリング率で拡大処理して前記出力手段に供給するスケーリング工程と、
前記検出工程で前記解像度の変化として解像度の低下が検出された場合、予め用意された複数の補助映像のうち、変化前の解像度に対する変化後の解像度の低下度合いに応じた１つを選択し、前記映像コンテンツに係る映像と共に前記出力手段に出力させる制御工程とを有することを特徴とする映像出力装置の制御方法。
【請求項１２】
少なくとも３つの異なる解像度のいずれかを有しうる映像コンテンツを入力する入力手段と、前記映像コンテンツに係る映像を出力する出力手段とを有する映像出力装置の制御方法であって、
前記映像コンテンツの解像度の変化を検出する検出工程と、
前記映像コンテンツを、設定されたスケーリング率で拡大処理して前記出力手段に供給するスケーリング工程と、
前記検出工程で前記解像度の変化として解像度の低下が検出された場合、変化前の解像度に対する変化後の解像度の低下度合いに応じて前記変化後の映像コンテンツに対するスケーリング率を決定並びに設定する設定工程とを有することを特徴とする映像出力装置の制御方法。
【手続補正２】
【補正対象書類名】明細書
【補正対象項目名】００１３
【補正方法】変更
【補正の内容】
【００１３】
上述の目的は、少なくとも３つの異なる解像度のいずれかを有しうる映像コンテンツを入力する入力手段と、映像コンテンツに係る映像を出力する出力手段とを有する映像出力装置であって、映像コンテンツの解像度の変化を検出する検出手段と、映像コンテンツを、設定されたスケーリング率で拡大処理して出力手段に供給するスケーリング手段と、検出手段が解像度の変化として解像度の低下を検出した場合、予め用意された複数の補助映像のうち、変化前の解像度に対する変化後の解像度の低下度合いに応じた１つを選択し、映像コンテンツに係る映像と共に出力手段に出力させる制御手段とを有することを特徴とする映像出力装置によって達成される。
【手続補正３】
【補正対象書類名】明細書
【補正対象項目名】００１４
【補正方法】変更
【補正の内容】
【００１４】
また、上述の目的は、少なくとも３つの異なる解像度のいずれかを有しうる映像コンテンツを入力する入力手段と、映像コンテンツに係る映像を出力する出力手段とを有する映像出力装置であって、映像コンテンツの解像度の変化を検出する検出手段と、映像コンテンツを、設定されたスケーリング率で拡大処理して出力手段に供給するスケーリング手段と、検出手段が解像度の変化として解像度の低下を検出した場合、変化前の解像度に対する変化後の解像度の低下度合いに応じて変化後の映像コンテンツに対するスケーリング率を決定し、スケーリング手段に設定する設定手段とを有することを特徴とする映像出力装置によっても達成される。
【手続補正４】
【補正対象書類名】明細書
【補正対象項目名】００１５
【補正方法】変更
【補正の内容】
【００１５】
また、上述の目的は、少なくとも３つの異なる解像度のいずれかを有しうる映像コンテンツを入力する入力手段と、映像コンテンツに係る映像を出力する出力手段とを有する映像出力装置の制御方法であって、映像コンテンツの解像度の変化を検出する検出工程と、映像コンテンツを、設定されたスケーリング率で拡大処理して出力手段に供給するスケーリング工程と、検出工程で解像度の変化として解像度の低下が検出された場合、予め用意された複数の補助映像のうち、変化前の解像度に対する変化後の解像度の低下度合いに応じた１つを選択し、映像コンテンツに係る映像と共に出力手段に出力させる制御工程とを有することを特徴とする映像出力装置の制御方法によっても達成される。
【手続補正５】
【補正対象書類名】明細書
【補正対象項目名】００１６
【補正方法】変更
【補正の内容】
【００１６】
また、上述の目的は、少なくとも３つの異なる解像度のいずれかを有しうる映像コンテンツを入力する入力手段と、映像コンテンツに係る映像を出力する出力手段とを有する映像出力装置の制御方法であって、映像コンテンツの解像度の変化を検出する検出工程と、映像コンテンツを、設定されたスケーリング率で拡大処理して出力手段に供給するスケーリング工程と、検出工程で解像度の変化として解像度の低下が検出された場合、変化前の解像度に対する変化後の解像度の低下度合いに応じて変化後の映像コンテンツに対するスケーリング率を決定並びに設定する設定工程とを有することを特徴とする映像出力装置の制御方法によっても達成される。
【手続補正６】
【補正対象書類名】明細書
【補正対象項目名】００２３
【補正方法】変更
【補正の内容】
【００２３】
画面構成部１０６は、制御部１１１の制御に基づき、必要に応じてメモリ１１３からデータ放送データやＥＰＧデータを読み出し、スケーリング処理部１０５からの映像データと合成する。映像データは映像出力部１０８へ書き込まれ、表示部１１０で表示される。画面構成部１０６による合成処理によって、ＥＰＧやデータ放送の内容が表示部１１０で表示されるようになる。
一方、音声データは、デコーダ１０３で復号化された後、音声出力部１０７を介し、外部に接続されるスピーカ１０９へと出力される。
【手続補正７】
【補正対象書類名】明細書
【補正対象項目名】００３０
【補正方法】変更
【補正の内容】
【００３０】
デコーダ１０３は、デマルチプレクサ１０２から入力されるＭＰＥＧ２ビデオビットストリームに対し、復号化処理を実施する（Ｓ２０１）。フォーマット検出部１１２は、デコーダ１０３の復号化結果から、映像フォーマット情報を取得する。具体的には、ＭＰＥＧ２ビデオビットストリームのシーケンスレイヤに含まれるシーケンスヘッダ（ＳＨ）に記述される解像度情報を取得し、メモリ１１３へ保存する（Ｓ２０２）。本実施形態において、フォーマット検出部１１２は、ビットストリーム中の全シーケンスヘッダから映像フォーマット情報を取得する。
【手続補正８】
【補正対象書類名】明細書
【補正対象項目名】００３２
【補正方法】変更
【補正の内容】
【００３２】
本実施形態においてスケーリング処理部１０５は、映像データを表示部１１０の全画素を用いて表示することを前提に、スケーリング処理の要否を判断するものとする。そして、スケーリング処理部１０５は、スケーリング処理が必要と判断される場合には映像データにスケーリング処理（拡大処理）を実施し（Ｓ２０９）、不要と判断される場合は映像データをそのまま画面構成部１０６に出力する。
【手続補正９】
【補正対象書類名】明細書
【補正対象項目名】００３３
【補正方法】変更
【補正の内容】
【００３３】
画面構成部１０６は、Ｓ２１０において、映像データに合成すべきデータ（ＥＰＧデータ、文字放送データ又はメッセージデータなど）の有無を確認する。ここでは、説明及び理解を容易にするため、フォーマットの切り替わりが無い場合には合成すべき補助映像（メッセージ映像）がないものとする。従って、画面構成部１０６は、入力された映像データを映像出力部１０８へ出力する。映像出力部１０８は、入力された映像データを表示部１１０へ出力する（Ｓ２１２）。
【手続補正１０】
【補正対象書類名】明細書
【補正対象項目名】００５９
【補正方法】変更
【補正の内容】
【００５９】
ここで変化がない場合、第１の実施形態同様、デコーダ１０３でデコードされた映像データは、スケーリング処理部１０５、画面構成部１０６及び映像出力部１０８を経て表示部１１０に表示される。なお、画面構成部１０６ではメッセージ映像の合成を行なわない。
【手続補正１１】
【補正対象書類名】明細書
【補正対象項目名】００７６
【補正方法】変更
【補正の内容】
【００７６】
デコーダ１０３は、デマルチプレクサ１０２から入力されるＭＰＥＧ２ビデオビットストリームに対し、復号化処理を実施する（Ｓ９０１）。フォーマット検出部１１２は、デコーダ１０３の復号化結果から、映像フォーマット情報を取得する。具体的には、ＭＰＥＧ２ビデオビットストリームのシーケンスレイヤに含まれるシーケンスヘッダ（ＳＨ）に記述される解像度情報を取得し、メモリ１１３へ保存する（Ｓ９０２）。本実施形態において、フォーマット検出部１１２は、ビットストリーム中の全シーケンスヘッダから映像フォーマット情報を取得する。
【手続補正１２】
【補正対象書類名】明細書
【補正対象項目名】００７９
【補正方法】変更
【補正の内容】
【００７９】
スケーリング処理部１０５は、スケーリング処理が必要と判断される場合には、現在のスケーリング率を変更せずに、映像データにスケーリング処理（拡大処理）を実施し（Ｓ９０８）、不要と判断される場合は映像データをそのまま画面構成部１０６に出力する。そして、画面構成部１０６も特に設定変更を行なわずに、それまで通りの表示領域に入力された映像データが表示されるよう、映像出力部１０８へ出力する。映像出力部１０８は、入力された映像データを表示部１１０へ出力する（Ｓ９０９）。
【手続補正１３】
【補正対象書類名】明細書
【補正対象項目名】０１０７
【補正方法】変更
【補正の内容】
【０１０７】
ＧＵＩ１２０１にはまた、直ちに表示領域の設定を変更するか否かを問い合わせるメッセージと、ユーザがリモコン１１５を利用して選択可能なボタン１２０６が含まれている。ここで、ボタン１２０６の指定は、受光部１１４を通じて制御部１１１が認識する。
「いいえ」が指定された場合、制御部１１１は、ＧＵＩ１２０１を消去し、次番組は現在と同じ表示領域（全画面）にスケーリングされて表示される。
【手続補正１４】
【補正対象書類名】明細書
【補正対象項目名】０１０８
【補正方法】変更
【補正の内容】
【０１０８】
ＧＵＩ１２０１で、ユーザが表示領域の変更を要求した場合、すなわち「はい」ボタンが指定された場合、制御部１１１は、各部を制御し、予め定められたデフォルトの表示領域に、現在表示中の映像をダウンコンバートしたダウンコンバータと画像１２０３を表示させる（図１２（ｂ））。また、制御部１１１は、メモリ１１３から、表示領域の変更を行なうための操作方法を説明するガイダンス表示１２０４のデータを読み出し、画面構成部１０６へ出力して、重畳表示を行なわせる。なお、デフォルトの表示領域は、切り替わり後の映像フォーマット毎に決めておいても良いし、あるいは第３の実施形態で説明した変換テーブルを用いて決定しても良い。
【手続補正１５】
【補正対象書類名】明細書
【補正対象項目名】０１１０
【補正方法】変更
【補正の内容】
【０１１０】
リモコン１１５の決定キーが押下され、ユーザにより所望の表示領域が決定された場合、制御部１１１は、その時点における表示領域を固定する。そして、最後に再度表示領域を変更する場合の設定手順を記したメッセージ映像１２０５を表示する（図１２（ｃ））。メッセージ映像１２０５は、一定時間表示した後、自動で消去する。
【手続補正１６】
【補正対象書類名】明細書
【補正対象項目名】０１１１
【補正方法】変更
【補正の内容】
【０１１１】
上述したように、本実施形態では、映像フォーマット切り替えに伴う解像度低下があり、かつその度合いが大きい場合、事前に表示領域を変更するか問い合わせるＧＵＩを表示する。そして、表示領域の変更が指示された場合、その場で直ちに表示領域の設定状態となる。そのため、ユーザは表示領域を変更するためのメニュー画面等を探すことなく、直ちに表示領域の設定を行なうことができる。